【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
制御信号に応答してガラスを通過する光の透過率を選択的に制御する積層された合わせガラスであって、
第１と第２の対向配置された主要面を有する少なくとも１つの透明ガラス層と、
赤外線スペクトル中の光を反射するＩＲ反射層と、
紫外線スペクトルと可視光線スペクトル中の光を吸収し、切換え可能合わせガラスのオートクレーブ処理と熱的に相性がよい第１中間層であって、第１と第２の対向配置された主要面を有する第１中間層と、
互いに対向配置された第１と第２主要面を有する切換え可能フィルムであって、前記切換え可能フィルムの前記第１と第２主要面の間の可視光の透過率は前記切換え可能フィルムに印加された制御信号に応答して変化可能であって、前記切換え可能フィルムの前記第１主要面は前記第１中間層の前記第２主要面に面しており、前記ＩＲ反射層は前記透明ガラス層の前記第２の対向配置された主要面と前記切換え可能フィルムの間に存在し、前記第１中間層も前記透明ガラス層の前記第２の対向配置された主要面と前記切換え可能フィルムの間に存在し、前記第１中間層は前記切換え可能フィルムを保護するために紫外線／可視光線放射の周波数範囲において放射吸収性を有する、切換え可能フィルムと、
第１と第２の対向配置された主要面を有する第２中間層であって、前記第２中間層の前記第１主要面は前記切換え可能フィルムの前記第２主要面に面している第２中間層と、
第１と第２の対向配置された主要面を有する第２ガラス層であって、前記第２ガラス層の前記第１主要面は前記第２中間層の前記第２主要面に面している第２ガラス層と、
を含んでいるアセンブリから製造されることを特徴とする積層された合わせガラス。
【請求項２】
前記ＩＲ反射層は、２層の銀塗布膜を含むことを特徴とする請求項１の積層された合わせガラス。
【請求項３】
前記ＩＲ反射層は、３層の銀塗布膜を含むことを特徴とする請求項１の積層された合わせガラス。
【請求項４】
前記ＩＲ反射層は、強化されたＵＶ反射を伴う３層の銀塗布膜を含むことを特徴とする請求項１の積層された合わせガラス。
【請求項５】
前記第１中間層は熱可塑性材料の層を含むことを特徴とする請求項１の積層された合わせガラス。
【請求項６】
前記第１中間層は、強化された紫外線吸収を伴う熱可塑性材料の層を含むことを特徴とする請求項１の積層された合わせガラス。
【請求項７】
前記第１中間層は、１０乃至１３０の範囲のメルトインデックスを有することを特徴とする請求項１の積層された合わせガラス。
【請求項８】
前記第１中間層は、４０乃至８０の範囲のメルトインデックスを有することを特徴とする請求項１の積層された合わせガラス。
【請求項９】
前記第１中間層は、４００ナノメートル未満の波長を有する光スペクトルに対する強化された紫外線吸収を伴うことを特徴とする請求項６の積層された合わせガラス。
【請求項１０】
前記第１中間層は、４１０ナノメートル未満の波長を有する光スペクトルに対する強化された紫外線吸収を伴うことを特徴とする請求項６の積層された合わせガラス。
【請求項１１】
前記第１中間層は、熱可塑性ポリウレタン、エチレンビニルアセテート及びポリビニルブチラールを含んでいるグループの１つから選択された材料を含むことを特徴とする請求項１の積層された合わせガラス。
【請求項１２】
前記切換え可能フィルムに電力を供給するための前記切換え可能フィルムに接続された電気導体を更に含んでいることを特徴とする請求項１の積層された合わせガラス。
【請求項１３】
前記ＩＲ反射層、前記透明ガラス層の前記第１主要面、前記透明ガラス層の前記第２主要面、前記第２ガラス層の前記第１主要面及び前記第２ガラス層の前記第２主要面を含んでいるグループのうちの少なくとも１つに接着された不透明塗布膜を更に含んでいることを特徴とする請求項１の積層された合わせガラス。
【請求項１４】
前記切換え可能フィルムは、ＳＰＤフィルムを含むことを特徴とする請求項１の積層された合わせガラス。
【請求項１５】
前記切換え可能フィルムは、ＰＤＬＣフィルムを含むことを特徴とする請求項１の積層された合わせガラス。
【請求項１６】
前記積層された合わせガラスは、外側エッジを画定し、前記積層された合わせガラスは更に、前記切換え可能フィルムの外周と、前記積層された合わせガラスの前記外側エッジとの間に位置する境界層を含んでいることを特徴とする請求項１の積層された合わせガラス。
【請求項１７】
前記切換え可能フィルムは、前記切換え可能フィルムの前記第１主要面と前記第２主要面の間に配置されたエッジ表面を有し、前記積層された合わせガラスは前記切替え可能フィルムの前記エッジに固着されたポリイミドのバリアを含み、前記バリアは前記第１と第２中間層に対して低い浸透性を有することを特徴とする請求項１の積層された合わせガラス。
【請求項１８】
自動車用途で使用する窓合わせガラスであって、
切換え可能フィルムであって、電気制御信号に応答して前記切換え可能フィルムを通過する可視光の透過率を制御する切換え可能フィルムと、
１つの表面上に反射塗布膜を有する第１ガラス板であって、赤外線スペクトルの９０％より大きい光を反射する第１ガラス板と、
前記切換え可能フィルムと前記第１ガラス板の間に配置される第１中間層であって、前記第１中間層は、切換え可能合わせガラスのオートクレーブ処理と熱的に相性がよく、且つ、前記切換え可能フィルムを保護するために紫外線／可視光線放射の周波数範囲において放射吸収性を有し、前記切換え可能フィルムを前記第１ガラス板に結びつけ、３８０ナノメートル未満の波長を有する光の少なくとも９８％を吸収する第１中間層と、
前記第１中間層から対向する前記切換え可能フィルムの側面に配置される第２中間層と、
前記切換え可能フィルムから対向する前記第２中間層の側面に位置し、前記第２中間層によって前記切換え可能フィルムに結び付けられた第２ガラス板と、
を含んでいることを特徴とする窓合わせガラス。
【請求項１９】
前記第１中間層は、４００ナノメートル未満の波長を有する光の少なくとも９８％を吸収することを特徴とする請求項１８の窓合わせガラス。
【請求項２０】
前記第１中間層は、４１０ナノメートル未満の波長を有する光の少なくとも９８％を吸収することを特徴とする請求項１８の窓合わせガラス。
【請求項２１】
前記第１ガラス板の前記反射塗布膜は、４００ナノメートルより大きい波長を有する光を反射することを特徴とする請求項１８の窓合わせガラス。
【請求項２２】
前記第１ガラス板の前記反射塗布膜は、４１０ナノメートルより大きい波長を有する光を反射することを特徴とする請求項１８の窓合わせガラス。
【請求項２３】
前記電気制御信号がオンの時、前記切換え可能フィルムは３８％より大きい可視光を透過し、前記電気制御信号がオフの時、前記切換え可能フィルムは１％未満の可視光を透過することを特徴とする請求項２２の窓合わせガラス。
【請求項２４】
前記第１中間層は、４０乃至６０の範囲のメルトインデックスを有する熱可塑性材料を含むことを特徴とする請求項１８の窓合わせガラス。
【請求項２５】
電気制御信号に反応してガラスを透過する光の透過率を選択的に制御する積層された合わせガラスであって、
第１と第２の対向配置された主要面を有する少なくとも１つの透明ガラス層と、
赤外線スペクトルの光を反射するＩＲ反射塗布膜であって、前記透明ガラス層の前記第２の対向配置された主要面に塗布されたＩＲ反射塗布膜と、
紫外線スペクトルの光と可視光スペクトルの光を吸収し、切換え可能合わせガラスのオートクレーブ処理と熱的に相性がよい第１中間層であって、前記第１中間層は第１と第２の対向配置された主要面を有し、前記第１中間層の前記第１主要面は前記ＩＲ反射塗布膜に面している第１中間層と、
互いに対向配置された第１と第２主要面を有する切換え可能フィルムであって、前記切換え可能フィルムの前記第１と第２主要面の間の可視光の透過率は前記切換え可能フィルムに印加された電気制御信号に反応して可変であり、前記切換え可能フィルムの前記第１主要面は前記第１中間層の前記第２主要面に面し、前記第１中間層は前記切換え可能フィルムを保護するために紫外線／可視光線放射の周波数範囲において放射吸収性を有する、切換え可能フィルムと、
第１と第２の対向配置された主要面を有する第２中間層であって、前記第２中間層の前記第１主要面は前記切換え可能フィルムの前記第２主要面に面している第２中間層と、
第１と第２の対向配置された主要面を有する第２ガラス層であって、前記第２ガラス層の前記第１主要面は前記第２中間層の前記第２主要面に面している第２ガラス層と、
を含んでいるアセンブリから製造される積層された合わせガラス。